(57)【要約】【課題】  盤間を接続する絶縁母線の接続作業を容易とする。【解決手段】  一方の盤に固定された第１の母線ブッシング５ａと、前記第１の母線ブッシング５ａと対向して配置されるとともに、他方の盤に固定された第２の母線ブッシング５ｂと、前記第１の母線ブッシング５ａと前記第２の母線ブッシング５ｂ間を接続する可撓導体を有する絶縁母線６と、前記第１の母線ブッシング５ａと前記絶縁母線６の一方端、および前記第２の母線ブッシング５ｂと前記絶縁母線６の他方端のそれぞれの外周を絶縁する押えカバー１６ａ、１６ｂとを備えたことを特徴とする。【選択図】  図１
2006254529.tif 000002
【特許請求の範囲】
【請求項１】
一方の盤に固定された第１の母線ブッシングと、
前記第１の母線ブッシングと対向して配置されるとともに、他方の盤に固定された第２の母線ブッシングと、
前記第１の母線ブッシングと前記第２の母線ブッシング間を接続する可撓導体を有する絶縁母線と、
前記第１の母線ブッシングと前記絶縁母線の一方端、および前記第２の母線ブッシングと前記絶縁母線の他方端のそれぞれの外周を絶縁する押えカバーとを備えたことを特徴とする母線接続装置。
【請求項２】
前記可撓導体は、中心導体の少なくとも一方端の軸方向に凹部を設け、この凹部に接触子を介した接続導体を挿入するとともに、前記凹部の底部と前記接続導体端間にバネを設けたことを特徴とする請求項１に記載の母線接続装置。
【請求項３】
前記母線ブッシングおよび前記押えカバーは、互いがテーパー状の界面接続部に形成されていることを特徴とする請求項１または請求項２に記載の母線接続装置。
【発明の詳細な説明】
【技術分野】
【０００１】
本発明は、列盤されたスイッチギヤの盤間の接続を容易にし得る母線接続装置に関する。
【背景技術】
【０００２】
従来のこの種の電気機器におけるスイッチギヤの盤間を接続する母線接続装置は、エポキシ樹脂や絶縁ゴムのような各種の絶縁材料をモールドして形成した固体絶縁式のものが知られている（例えば、特許文献１参照。）。
【０００３】
図４に示すように、この母線接続装置１は、遮断器のような第１の電気機器２ａを収納した第１の箱体３ａの第１の天井板４ａと、第１の電気機器２ａと同様な第２の電気機器２ｂを収納した第２の箱体３ｂの第２の天井板４ｂ間に設けられている。また、母線接続装置１は、第１の箱体３ａと第２の箱体３ｂとの図示上部に設けられた第３の箱体３ｃ内に収納されている。これにより、列盤された箱体３ａ、３ｂ内に収納された第１の電気機器２ａと第２の電気機器２ｂとの主回路を接続することができる。
【０００４】
なお、図４においては、列盤される箱体３ａ、３ｂを二盤で示しているが、二盤以上の複数で用いることができる。また、母線接続装置１は、一相分を示している。
【０００５】
この母線接続装置１は、図５に示すように、第１の母線ブッシング５ａと第２の母線ブッシング５ｂ、および絶縁母線６から構成されている。
【０００６】
第１の母線ブッシング５ａおよび第２の母線ブッシング５ｂには、それぞれ埋め込み導体７ａ、７ｂが埋め込まれており、その露出部の互いは対向して配置されている。この埋め込み導体７ａ、７ｂの露出部は、それぞれ図示上向きの段差部８ａ、８ｂに形成され、ネジ部９ａ、９ｂが設けられている。また、母線ブッシング５ａ、５ｂには、それぞれテーパー状の界面接続部１０ａ、１０ｂが形成されている。
【０００７】
絶縁母線６には、中心導体１１の周りに、例えばポリエチレン樹脂やエポキシ樹脂のような絶縁材料をモールドして形成した絶縁層１２が設けられている。また、中心導体１１の両端には、前記埋め込み導体７ａ、７ｂの段差部８ａ、８ｂに嵌め込まれるような図示下向きの段差部１３ａ、１３ｂ、およびボルト１４が挿入される孔１５ａ、１５ｂがそれぞれ設けられている。
【０００８】
一方、絶縁層１２の両端には、ＥＰゴムのような絶縁ゴムからなる押えカバー１６ａ、１６ｂがそれぞれ設けられている。また、それぞれの押えカバー１６ａ、１６ｂの端部には、テーパー状の界面接続部１７ａが形成されており、母線ブッシング５ａ、５ｂの界面接続部１０ａ（１０ｂ）と密着するようになっている。
【特許文献１】特開２００２−１５２９３０号公報  （第１５〜１６ページ、図２７）
【発明の開示】
【発明が解決しようとする課題】
【０００９】
上記の従来の母線接続装置１においては、次のような問題がある。
【００１０】
第１の母線ブッシング５ａと第２の母線ブッシング５ｂ間の距離と、絶縁母線６の中心導体１１の長さとが異なると、図５に示すように、少なくとも一方のボルト１４とネジ部９ｂとが一致せず、ボルト１４が締付けられなくなる。これは、第１の箱体３ａと第２の箱体３ｂの外形形状の差異やこれらを据付ける床面の平面度などから起こり得るものである。
【００１１】
このようになると、中心導体１１を加工して、第１の母線ブッシング５ａと第２の母線ブッシング５ｂ間の距離に合わせたり、また、第１の天井板４ａと第２の天井板４ｂとの位置を微調整して、第１の母線ブッシング５ａと第２の母線ブッシング５ｂ間の距離を合わせたりしていた。
【００１２】
このため、盤間の絶縁母線６の接続においては、中心導体１１の孔１５ａ（１５ｂ）を加工したり、天井板４ａ、４ｂの位置を微調整したりしなくてはならず、多大の時間が必要となり、困難な接続作業となっていた。
【００１３】
本発明は上記問題を解決するためになされたもので、盤間の接続を容易にし得る母線接続装置を提供することを目的とする。
【課題を解決するための手段】
【００１４】
上記目的を達成するために、本発明の母線接続装置は、一方の盤に固定された第１の母線ブッシングと、前記第１の母線ブッシングと対向して配置されるとともに、他方の盤に固定された第２の母線ブッシングと、前記第１の母線ブッシングと前記第２の母線ブッシング間を接続する可撓導体を有する絶縁母線と、前記第１の母線ブッシングと前記絶縁母線の一方端、および前記第２の母線ブッシングと前記絶縁母線の他方端のそれぞれの外周を絶縁する押えカバーとを備えたことを特徴とする。
【発明の効果】
【００１５】
本発明によれば、盤間を接続する絶縁母線の中心導体に軸方向に移動自在の接続導体を設けているので、一方の盤と他方の盤との母線ブッシングの主回路間の接続作業が容易となる。
【発明を実施するための最良の形態】
【００１６】
以下、図面を参照して本発明の実施例を説明する。
【実施例１】
【００１７】
先ず、本発明の実施例１に係る母線接続装置を図１および図２を参照して説明する。図１は、本発明の実施例１に係る母線接続装置の構成を一部断面して示す図、図２は、本発明の実施例１に係る母線接続装置の接続方法を示す図である。なお、図１および図２において、従来と同様の構成部分については、同一符号を付した。また、母線接続装置が設置されるスイッチギヤの構成は、図４と同様であるので、その説明を省略する。
【００１８】
図１に示すように、母線接続装置１は、第１の母線ブッシング５ａと第２の母線ブッシング５ｂ、および絶縁母線６から構成されている。
【００１９】
第１の母線ブッシング５ａおよび第２の母線ブッシング５ｂには、それぞれ円柱状の埋め込み導体７ａ、７ｂが埋め込まれており、その露出部の互いは対向して配置されている。そして、埋め込み導体７ａ、７ｂの露出部は、それぞれ図示上向きの段差部８ａ、８ｂに形成され、ネジ部９ａ、９ｂが設けられている。また、母線ブッシング５ａ、５ｂには、それぞれ凸状のテーパー状の界面接続部１０ａ、１０ｂが形成されている。
【００２０】
絶縁母線６には、円柱状の中心導体１１の周りに、例えばポリエチレン樹脂やエポキシ樹脂のような絶縁材料をモールドして形成した絶縁層１２が設けられている。中心導体１１の少なくとも一方の端部は、略軸心部が凹部１１ａに形成されている。
【００２１】
この凹部１１ａには、接続導体２０の一方端が摺動形の接触子２１を介して挿入されている。また、凹部１１ａの底部と挿入された接続導体２０の一方端間には、接続導体２０を押し出すように付勢されたバネ２２が設けられている。接続導体２０の他方端には、前記埋め込み導体７ａ（７ｂ）の段差部８ａ（８ｂ）に嵌め込まれるような図示下向きの段差部２３に形成され、ボルト１４が挿入される孔２４が設けられている。
【００２２】
ここで、接続導体２０は、バネ２２により中心導体１１端から移動自在に突出、後退の移動ができるとともに、接触子２１を介して良好な接続が行われている。このため、接続導体２０、中心導体１１、バネ２２および接触子２１から構成される主回路を可撓導体と定義する。
【００２３】
一方、絶縁層１２の両端には、ＥＰゴムのような絶縁ゴムからなる押えカバー１６ａ、１６ｂがそれぞれ設けられている。また、それぞれの押えカバー１６ａ、１６ｂの端部には、凹状のテーパー状の界面接続部１７ａが形成されており、母線ブッシング５ａ、５ｂの界面接続部１０ａ（１０ｂ）と密着し、絶縁されるようになっている。
【００２４】
そして、絶縁母線６を第１の母線ブッシング５ａと第２の母線ブッシング５ｂ間に接続する場合を図２を参照して説明する。
【００２５】
先ず、埋め込み導体７ａ、７ｂの上向きの段差部８ａ、８ｂに合わせて、中心導体１１の段差部１３ｂと接続導体２０の段差部２３とを下向きにする。そして、接続導体２０の段差部２３を埋め込み導体７ａの段差部８ａに図示上方から当てがいバネ２２を圧縮させる。これにより、接続導体２０と中心導体１１とを合わせた長さが一旦短くなる。なお、バネ２２を圧縮した状態では、接続導体２０と中心導体１１とを合わせた長さが、埋め込み導体７ａ、７ｂ間の長さよりも僅かに短くなるようにしている。
【００２６】
接続導体２０と中心導体１１とを合わせた長さを短くした状態を保って、埋め込み導体７ｂの段差部８ｂに、中心導体１１の段差部１３ｂを載せる。そして、バネ２２を放勢すると、バネ２２のバネ力で接続導体２０が凹部１１ａ内から押し出され、接続導体２０の孔２４とネジ部９ａとの中心軸を一致させることができる。また、中心導体１１の孔１５ｂとネジ部９ｂとの中心軸も一致させることができる。即ち、中心導体１１と接続導体２０とを合わせた長さを母線ブッシング５ａ、５ｂ間の長さと一致させることができる。
【００２７】
次に、接続導体２０の孔２４および中心導体１１の孔１５ｂにボルト１４を入れ、ネジ部９ａ、９ｂに締め込み、埋め込み導体７ａと接続導体２０、および埋め込み導体７ｂと中心導体１１とを強固に固定する。
【００２８】
そして、図示左側の一方の押えカバー１６ａを図示左方向に移動させ、第１の母線ブッシング５ａの界面接続部１０ａと押えカバー１６ａの界面接続部１７ａとを密着させる。同様に、図示右側の他方の押えカバー１６ｂを図示右方向に移動させ、第２の母線ブッシング５ｂの界面接続部１０ｂと押えカバー１６ｂの界面接続部とを密着させる。
【００２９】
これにより、第１の母線ブッシング５ａと第２の母線ブッシング５ｂ間に絶縁母線６を確実に接続することができる。また、接触子２１により、良好な通電が行えるとともに、第１の母線ブッシング５ａと第２の母線ブッシング５ｂ間の、例えば数ｍｍ程度の僅かな上下、左右の寸法を吸収することができる。
【００３０】
上記実施例１の母線接続装置１によれば、盤間を接続する中心導体１１端に、軸方向に移動自在の接続導体２０を設けているので、第１の箱体３ａ（一方の盤）に固定した第１の母線ブッシング５ａと第２の箱体３ｂ（他方の盤）に固定した第２のブッシング５ｂ間の接続作業を容易にすることができる。
【実施例２】
【００３１】
次に、本発明の実施例２に係る母線接続装置を図３を参照して説明する。図３は、本発明の実施例２に係る母線接続装置の構成を一部断面して示す図である。なお、この実施例２が実施例１と異なる点は、接続導体の接続方法である。図３において、実施例１と同様の構成部分においては、同一符号を付し、その詳細な説明を省略する。
【００３２】
図３に示すように、第１の母線ブッシング５ａと第２の母線ブッシング５ｂとの少なくとも一方には、円柱状の埋め込み導体３０ａが埋め込まれている。そして、埋め込み導体３０ａが露出した端部には、略軸心部に凹部３１が設けられ、この凹部３１の内周面に摺動形の接触子３２が設けられている。
【００３３】
絶縁母線６の中心導体１１端の凹部１１ａには、接触子２１を介して円柱状の接続導体３３が設けられている。また、接続導体３３の一方端と凹部１１ａの底部間には、バネ２２が設けられている。接続導体３３の他方端は、母線ブッシング５ａの凹部３１に挿入できるようになっている。
【００３４】
そして、絶縁母線６の接続においては、先ず、第１の母線ブッシング５ａの凹部３１に接続導体３３を押し込んでバネ２２を圧縮させ、中心導体１１と接続導体３３とを合わせた長さを一旦短くする。次いで、第２の母線ブッシング５ｂ側の段差部８ｂ、１３ｂを一致させ、ボルト１４を締付ける。バネ２２を放勢すると、接続導体３３は、バネ力で凹部３１内を移動し、埋め込み導体３０ａと良好な接触状態となる。
【００３５】
ここで、接続導体３３は、バネ２２により中心導体１１端から移動自在に移動できるとともに、接触子２１を介して良好な接続が行われている。このため、接続導体３３、中心導体１１、バネ２２および接触子２１から構成される主回路を可撓導体と定義する
上記実施例１の母線接続装置１によれば、実施例１による効果のほかに、ボルト１４の締付け作業を減じることができるので、接続作業が容易となる。
【図面の簡単な説明】
【００３６】
【図１】本発明の実施例１に係る母線接続装置の構成を一部断面して示す図。
【図２】本発明の実施例１に係る母線接続装置の接続方法を示す図。
【図３】本発明の実施例２に係る母線接続装置の構成を一部断面して示す図。
【図４】スイッチギヤの構成を示す側面図。
【図５】従来の母線接続装置の構成を一部断面して示す図。
【符号の説明】
【００３７】
１  絶縁母線装置
２ａ  第１の電気機器
２ｂ  第２の電気機器
３ａ  第１の箱体
３ｂ  第２の箱体
３ｃ  第３の箱体
４ａ  第１の天井板
４ｂ  第２の天井板
５ａ  第１の母線ブッシング
５ｂ  第２の母線ブッシング
６  絶縁母線
７ａ、７ｂ、３０ａ  埋め込み導体
８ａ、８ｂ、１３ａ、１３ｂ、２３  段差部
９ａ、９ｂ  ネジ部
１０ａ、１０ｂ、１７ａ  界面接続部
１１  中心導体
１１ａ、３１  凹部
１２  絶縁層
１４  ボルト
１５ａ、１５ｂ、２４  孔
１６ａ、１６ｂ  押えカバー
２０、３３  接続導体
２１、３２  接触子
２２  バネ
【図１】
2006254529.tif 000003
【図２】
2006254529.tif 000004
【図３】
2006254529.tif 000005
【図４】
2006254529.tif 000006
【図５】
2006254529.tif 000007